(57)【要約】【課題】任意方向にフエンス体を張設可能であり、また支柱のない位置でも連結することができる、フエンス用ジョイントを提供する。【解決手段】ジョイントＸは支柱取付片１と回転片２、２及び傾動片３、３とを有している。支柱取付片１の側板１２、１２には回転片２、２がボルト・ナット２５を介して装着され、回転片２は底板２０と脇板２１、２１からなるコの字形状をしており、支柱取付片１に対して回転方向任意の位置に固定できる。脇板２１、２１には幅方向に長い長孔２２、２２が対向して設けられており、この長孔２２、２２にボルト・ナット３５を介して傾動片３が傾動方向に任意の位置で固定される。傾動片３の傾動位置と回転片２の回転位置の調整により傾動片３は支柱取付片１に対して任意方向に延出するように設定される。【選択図】  図１
2004244902.tif 000002
【特許請求の範囲】
【請求項１】
フエンスの支柱とフエンス体を連結するフエンス用ジョイントであって、
支柱に装着される支柱取付片と、
該支柱取付片の両側に装着され、回転方向任意の位置で取り付け可能な一対の回転片と、
該回転片に傾動方向任意の位置で取り付け可能で、フエンス体に連結される傾動片と、
を備え、
前記一対の回転片が互いに直接連結可能である、
ことを特徴とするフエンスジョイント。
【発明の詳細な説明】
【０００１】
【発明の属する技術分野】
この発明は、フェンス用ジョイントに関する。
【０００２】
【従来の技術】
フェンス用ジョイントは主としてフェンス本体と支柱とを結合するものであって、従来から数多くのタイプのものが市販され使用されている。
支柱とフェンス本体を結合する際に、取り付け角度を変える必要が屡々生ずる。例えば、平地から斜面に変わる部分では上下方向に取り付け角度を変更する必要がある。また、曲がり角などでは水平方向に取り付け角度を変更する必要が生ずる。
このような角度変更を行うためには、角度変更可能なジョイントが必要であり、そのために従来から種々の提案がなされている。
【０００３】
【特許文献１】実公平７−３８５９０号公報
【特許文献２】実公平７−４１８１０号公報
【特許文献３】特許公開２００３−１３６２６号公報
【０００４】
【発明が解決しようとする課題】
しかし、従来のジョイントは基本的に上下方向の傾斜角度の変更が可能なだけであり、水平方向の角度変更はできず、水平方向の角度変更のためには、ジョイントの支柱への取り付け角度を変えたり、他のジョイントを用いたりするが普通であった。
また、支柱に取り付けることを前提としており、支柱部分での角度変更が前提になっており、支柱のない部分で、フエンス体同士を連結し且つ角度変更を行えるものはなかった。
本発明は上記従来技術の問題を解決することを目的とする。
【０００５】
【課題を解決するための手段】
上記目的を達成するために、本発明は、フエンスの支柱とフエンス体を連結するフエンス用ジョイントであって、支柱に装着される支柱取付片と、該支柱取付片の両側に装着され、回転方向任意の位置で取り付け可能な一対の回転片と、該回転片に傾動方向任意の位置で取り付け可能で、フエンス体に連結される傾動片と、を備え、前記一対の回転片が互いに直接連結可能である、ことを特徴とする。
上記構成において、回転片の回転と傾動片の傾動により任意方向にフエンス体を取り付けることが可能になる。また回転片どうしを直接連結することにより支柱のない位置でフエンス体を任意方向に連結することが可能になる。
【０００６】
【発明の実施の形態】
以下本発明の実施の形態を図面に基づいて説明する。
図１は本発明のジョイントＸを支柱５０に取り付けた状態を示す平面図、図２は正面図である。
図１及び２において、このジョイントＸは支柱取付片１と回転片２、２及び傾動片３、３とを有している。
【０００７】
支柱取付片１は支柱５０の側周に当接する曲線端面１０を有する一対の支柱当接片１１と、一対の側板１２とを備えた箱形状をなしている。支柱当接片１１には切欠１５、１５が形成されており、ここにＵ字ボルト１６を係止して、図３に示すように支柱５０に固定するようになっている。
【０００８】
側板１２、１２には回転片２、２がボルト・ナット２５を介して装着されるようになっている。回転片２は図１及び図２に示すように底板２０と脇板２１、２１からなるコの字形状をしており、支柱取付片１に対して回転方向任意の位置に固定できるようになっている。
【０００９】
脇板２１、２１には幅方向に長い長孔２２、２２が対向して設けられており、この長孔２２、２２にボルト・ナット３５を介して傾動片３が装着されるようになっている。
傾動片３は長孔２２、２２に対して傾動方向に任意の位置でボルト・ナット３５により装着されるように構成されている。また、長孔２２、２２の上下方向の任意の位置で装着されるようになっている。
傾動片３は図２に示すように固定せずに回動可能に装着しても良いし、ボルト・ナット３５を締め付け、脇板２１、２１を傾動片３に密着させて固定するように装着することも可能である。
この傾動片３の傾動位置及び上下位置と回転片２の回転位置の調整により傾動片３は支柱取付片１に対して任意方向に延出するように設定可能になっている。
【００１０】
傾動片３はこの実施形態ではパイプ形状をなし、また取付孔３０を備えており、胴縁５１の内部に嵌挿され、ボルト・ナットなどに任意の締結手段により胴縁５１に連結するように構成されている。
【００１１】
以上の構成において、支柱取付片１をＵ字ボルト１６により支柱５０に取り付け、側板１２、１２にそれぞれ回転片２と回転片２を任意の回転角度で締結し、更に傾動片３、３を脇板２１、２１に任意の傾動角度で固定或いは回動可能に装着する。そして、傾動片３、３にフエンス体の胴縁５１、５１を取り付けることにより、支柱５０位置でフエンス体を任意の方向に傾斜又は屈曲或いは傾斜させつつ屈曲させて張設することが可能になる。図５に取り付けた状態を示す。
傾動片３、３は最初回動可能にした状態で胴縁５１、５１を取り付け、その後にボルト・ナット３５を締め付けて脇板２１、２１に固定しても良く、この場合胴縁５１、５１の取付作業が容易になる利点がある。
【００１２】
図４に支柱取付片１を取り外した状態を示す。ここでは、回転片２と回転片２の底板２０、２０が直接ボルト・ナット２５により締結されており、支柱取付片１を用いていない。これによりフエンス体とフエンス体を支柱５０のない位置で連結することが可能になる。しかも、回転片２と回転片２の角度の設定及び傾動片３、３の傾動角度の設定によりフエンス体を任意方向に屈曲させて連結することが可能になる。
図６にフエンス体を直接連結した状態を示す。
【００１３】
【発明の効果】
以上説明したように本発明のフエンス用ジョイントによれば、任意方向にフエンス体を張設可能であり、また支柱のない位置でも連結することができる効果がある。
【図面の簡単な説明】
【図１】本発明の一実施形態を示す平面図。
【図２】本発明の一実施形態を示す正面図。
【図３】図１におけるＡ−Ａ線矢視図。
【図４】本発明の一実施形態の他の状態を示す平面図。
【図５】図１の実施形態におけるフエンス体との接続状態を示す説明図。
【図６】図４の実施形態におけるフエンス体との接続状態を示す説明図。
【符号の説明】
１：支柱取付片、２：回転片、３：傾動片、１０：曲線端面、１１：支柱当接片、１２：側板、１５：切欠、１６：Ｕ字ボルト、２０：底板、２１：脇板、２２：長孔、２５：ボルト・ナット、３０：取付孔、３５：ボルト・ナット、５０：支柱、５１：胴縁。
【図１】
2004244902.tif 000003
【図２】
2004244902.tif 000004
【図３】
2004244902.tif 000005
【図４】
2004244902.tif 000006
【図５】
2004244902.tif 000007
【図６】
2004244902.tif 000008